(57)【要約】      （修正有）【課題】ランドセル等の背負いかばんにおいて、タブレット型端末の故障及び損傷を防ぐ付属の収納バッグを取付ける構造を提供する。【解決手段】主収納部３および副収納部４を有するかばん本体２と、かばん本体に取り付けられる収納バッグ１３とからなり、かばん本体と収納バッグとを係脱自在に係合するかばん本体側係止部１１と収納バッグ側係止部１９が設けられた収納バッグ付きかばんにおいて、収納バッグは、上方に開口部２０が設けられた袋状のバッグ本体１４と、開口部を覆う蓋部１７とを有し、蓋部に収納バッグ側係止部１９が形成され、副収納部４の第２前面部９の上方にかばん本体側係止部１１が形成されており、副収納部の内側に収納バッグが開口部を上に向けて収納され、蓋部が第２前面部９を跨いだ状態で、収納バッグ側係止部がかばん本体側係止部に係脱自在に係合される。【選択図】図１
0003226227.tif 000002
【実用新案登録請求の範囲】
【請求項１】
内部に主収納部（３）および副収納部（４）を有するかばん本体（２）と、そのかばん本体（２）に取り付けられる収納バッグ（１３）とからなり、
前記かばん本体（２）と前記収納バッグ（１３）とを係脱自在に係合するかばん本体側係止部（１１）と収納バッグ側係止部（１９）が設けられた収納バッグ付きかばんにおいて、
前記収納バッグ（１３）は、上方に開口部（２０）が設けられた袋状のバッグ本体（１４）と、前記開口部（２０）を覆う蓋部（１７）とを有し、
前記収納バッグ（１３）の蓋部（１７）に前記収納バッグ側係止部（１９）が形成され、
前記副収納部（４）の第２前面部（９）の上方にかばん本体側係止部（１１）が形成されており、
前記副収納部（４）の内側に収納バッグ（１３）が前記開口部（２０）を上に向けて収納され、その蓋部（１７）が前記第２前面部（９）を跨いだ状態で、前記収納バッグ側係止部（１９）が前記かばん本体側係止部（１１）に係脱自在に係合されていることを特徴とする収納バッグ付きかばん。
【請求項２】
請求項１に記載の収納バッグ付きかばんにおいて、
前記収納バッグ（１３）は、表面地（１５）と背面地（１６）とマチ地（１８）を縫着して袋状に形成され、
前記背面地（１６）の上方には手提部（２５）及び前記蓋部（１７）の一端が縫着されており、その蓋部（１７）の他端に前記収納バッグ側係止部（１９）が形成されると共に、前記表面地（１５）に前記収納バッグ側係止部（１９）と係脱自在に係合する表面地側係止部（２６）が形成されており、
収納バッグ（１３）の前記収納バッグ側係止部（１９）が前記かばん本体側係止部（１１）から係合を解除された状態で、前記収納バッグ側係止部（１９）と表面地側係止部（２６）が係合され、
前記収納バッグ（１３）をかばん本体（２）から独立して使用することができる収納バッグ付きかばん。
【請求項３】
請求項１又は請求項２のいずれかに記載の収納バッグ付きかばんにおいて、
前記収納バッグ（１３）は精密機器（２７）を収納するものであることを特徴とする収納バッグ付きかばん。
【請求項４】
請求項１〜請求項３のいずれかに記載の収納バッグ付きかばんにおいて、
前記かばん本体（２）が、背当て部（５）を有する前記主収納部（３）と、その背当て部（５）の位置に対向して副収納部（４）が設けられ、それら主収納部（３）及び副収納部（４）の開口部を覆うかぶせ蓋（１２）を有するランドセルで構成されている収納バッグ付きかばん。
【考案の詳細な説明】
【技術分野】
【０００１】
本考案は、物品を収納するバッグが付属されたかばんに関し、特に、ランドセルやリュックサック等の背負いかばんにおいて付属のバッグを取付ける構造に関する。
【背景技術】
【０００２】
背負いかばんの各部に学用品やその他の物品を収納する収納バッグを取付ける提案がされている。特に、ランドセルやリュックサック等の背負いかばんのかぶせ蓋の表面に取り付ける提案（下記特許文献１参照）や、その蓋の裏面側とポケット部との間に取付けた提案（下記特許文献２参照）がなされている。
【０００３】
また、近年では教育現場において情報教育のツールとして、可搬性に優れ利用場所を選ばないタブレット型の端末を使用する方針に変わりつつある。このタブレット型端末は、圧迫や衝撃等の外力に弱い精密機械であり、タブレット型端末に故障及び損傷を生じさせない構造を背負いかばんに付加することが必要である。
【先行技術文献】
【特許文献】
【０００４】
【特許文献１】実開昭６１−１９６６２０号公報
【特許文献２】実用新案登録第３２０９８５２号公報
【考案の概要】
【考案が解決しようとする課題】
【０００５】
しかしながら、上記特許文献１及び特許文献２に記載の提案は、背負いかばんの前面側に近い位置に配置されることになる。この場合、収納バッグにタブレット型端末を収納すると、外部からの圧迫や衝撃等の外力を受けやすい状況になり、タブレット型端末に損傷が生じる恐れがある。
そこで本考案は、上記問題を解決することを課題とする。
【課題を解決するための手段】
【０００６】
請求項１に記載の本考案は、内部に主収納部３および副収納部４を有するかばん本体２と、そのかばん本体２に取り付けられる収納バッグ１３とからなり、
前記かばん本体２と前記収納バッグ１３とを係脱自在に係合するかばん本体側係止部１１と収納バッグ側係止部１９が設けられた収納バッグ付きかばんにおいて、
前記収納バッグ１３は、上方に開口部２０が設けられた袋状のバッグ本体１４と、前記開口部２０を覆う蓋部１７とを有し、
前記収納バッグ１３の蓋部１７に前記収納バッグ側係止部１９が形成され、
前記副収納部４の第２前面部９の上方にかばん本体側係止部１１が形成されており、
前記副収納部４の内側に収納バッグ１３が前記開口部２０を上に向けて収納され、その蓋部１７が前記第２前面部９を跨いだ状態で、前記収納バッグ側係止部１９が前記かばん本体側係止部１１に係脱自在に係合されていることを特徴とする収納バッグ付きかばんである。
【０００７】
請求項２に記載の本考案は、請求項１に記載の収納バッグ付きかばんにおいて、
前記収納バッグ１３は、表面地１５と背面地１６とマチ地１８を縫着して袋状に形成され、
前記背面地１６の上方には手提部２５及び前記蓋部１７の一端が縫着されており、その蓋部１７の他端に前記収納バッグ側係止部１９が形成されると共に、前記表面地１５に前記収納バッグ側係止部１９と係脱自在に係合する表面地側係止部２６が形成されており、
収納バッグ１３の前記収納バッグ側係止部１９が前記かばん本体側係止部１１から係合を解除された状態で、前記収納バッグ側係止部１９と表面地側係止部２６が係合され、
前記収納バッグ１３をかばん本体２から独立して使用することができる収納バッグ付きかばんである。
【０００８】
請求項３に記載の本考案は、請求項１又は請求項２のいずれかに記載の収納バッグ付きかばんにおいて、
前記収納バッグ１３は精密機器２７を収納するものであることを特徴とする収納バッグ付きかばんである。
【０００９】
請求項４に記載の本考案は、請求項１〜請求項３のいずれかに記載の収納バッグ付きかばんにおいて、
前記かばん本体２が、背当て部５を有する前記主収納部３と、その背当て部５の位置に対向して副収納部４が設けられ、それら主収納部３及び副収納部４の開口部を覆うかぶせ蓋１２を有するランドセルで構成されている収納バッグ付きかばんである。
【考案の効果】
【００１０】
本考案は、主収納部３と副収納部４を有するかばん本体２に取付けられる収納バッグ１３とからなる収納バッグ付きかばんにおいて、副収納部４の内部に開口部２０を上向きにして収納バッグ１３を収納後、蓋部１７が副収納部４の第２前面部９を跨いだ状態で、収納バッグ側係止部１９をかばん本体側係止部１１に係脱自在に係合することを特徴とするものである。
収納バッグ１３が副収納部４に収納されることにより、収納バッグ１３内の物品を外部の衝撃やかばん内部の他の物品の圧迫から保護することができる。また、収納バッグ１３をかばん本体２に係脱自在に係止することができるので、収納バッグ１３の目的に応じて、収納バッグ１３を取り外すことにより、収納バッグ１３を単体として使用することが可能となる。さらに、蓋部１７が副収納部４の第２前面部９を跨いだ状態で、収納バッグ側係止部１９がかばん本体側係止部１１に係合されているため、収納バッグ１３がかばん本体２に係合されていることを視認しやすく、収納バッグ１３の置忘れ等を防止することができる。
【００１１】
請求項２に記載の本考案は、収納バッグ１３をかばん本体２から係合を解除したときに、収納バッグ側係止部１９を収納バッグ１３の表面地１５に設けた表面地側係止部２６に係止することができる。この構成により、蓋部１７に設けた収納バッグ側係止部１９は、かばん本体側係止部１１への係止、表面地側係止部２６への係止、両者兼用することができるため、収納バッグ１３の構造を複雑化せずにかばん本体２に係合、もしくは係合を解除することができる。
【００１２】
請求項３に記載の本考案は、収納バッグ１３はタブレット型端末などの精密機器２７を収納するものとして使用することができる。この場合、外部からの衝撃や圧迫に弱い精密機器２７は、収納バッグ１３をかばん本体２に取付けた状態で、収納バッグ１３及び副収納部４に囲われた状態となるため、外部からの衝撃や圧迫から保護することができる。
請求項４に記載の本考案は、上記いずれかの構成のかばん本体２の構造をランドセルに適用したものである。本考案の収納バッグ付きかばんの構造は、学童が使用するランドセル等の背負いかばんに最適な構造である。
【図面の簡単な説明】
【００１３】
【図１】本考案の収納バッグ付きかばんの実施例であり、かばん本体２の副収納部４に収納バッグ１３を装着前の状態を示した斜視図。
【図２】同収納バッグ１３をかばん本体２の副収納部４に係合する手順を示す斜視図。
【図３】同実施例で使用する収納バッグ１３の正面図（Ａ）、側面図（Ｂ）、背面図（Ｃ）。
【図４】同かばん本体２から収納バッグ１３を分離した状態であり、精密機器２７を収納する手順を示す説明図。
【考案を実施するための形態】
【００１４】
次に、本考案の実施の形態を図面に基づいて説明する。
図１は、本考案の収納バッグ付きかばんの実施例であり、かばん本体２の副収納部４に収納バッグ１３を装着前の状態を示した斜視図である。図２は、同収納バッグ１３をかばん本体２の副収納部４に係合する手順を示す斜視図であって、同図（Ａ）は係合前の状態であり、同図（Ｂ）は係合後の状態を示す。図３（Ａ）は、収納バッグ１３の正面図であり、同図（Ｂ）は側面図、同図（Ｃ）は背面図である。図４は、かばん本体２から収納バッグ１３を分離した状態であり、精密機器２７を収納する手順を示す説明図であって、同図（Ａ）は精密機器２７を収納バッグ１３に収納する前の状態を示し、同図（Ｂ）は収納バッグ１３の蓋部１７を閉める前の状態を示し、同図（Ｃ）はその蓋部１７を閉めた状態を示す。
【００１５】
本考案は、ランドセルやリュックサック等の背負いかばんに最適な構造である。
ただし、各請求項の考案と同一の構成を持つかばんであれば、スポーツバッグ、スクールバッグ等各種かばんに適用することができるものである。
本実施例では、かばんとして学童が使用するランドセルを例に挙げて説明する。その説明の際、かばん１をランドセル１とし、かばん本体２をランドセル本体２とし、かばん本体側係止部１１をランドセル本体側係止部１１として説明する。
また、ランドセル１、収納バッグ１３を構成する素材は、下記で述べる素材以外に公知の素材を用いて製造することができる。
【００１６】
この実施例の説明において、ランドセル１を立てた状態で、背当て部５が配置されている側が後方、副収納部４が配置されている側が前方とする。
ランドセル１は、合成皮革または人工皮革で形成した主収納部３と副収納部４からなるランドセル本体２を有する。この主収納部３は、その外周が背当て部５と、それに対向して配置される第１前面部７と、図示しない底面と一対の側面とからなる大マチ部６とからなる。また、副収納部４は、第１前面部７に対向して配置される第２前面部９と、図示しない底面と一対の側面とからなる小マチ部８とからなる。主収納部３と副収納部４は第１前面部７を境目にして縫着されている。主収納部３と副収納部４の底を下方にして立てた時、両収納部３、４の上方が開口する箱状に形成されている。
【００１７】
このランドセル本体２の開口を覆い被せるかぶせ蓋１２と、図示しない背負ベルトとによりランドセル１が構成されている。
この例では、副収納部４の第２前面部９の上方には一対の雄係止部２３が離間して配置されて、ランドセル本体側係止部１１を形成している。このランドセル本体側係止部１１は１以上形成されていればよい。
【００１８】
ランドセル１は、図１、図２に示す如く、ランドセル本体２の副収納部４の内部に、タブレット端末等の精密機器２７を収納する収納バッグ１３が着脱可能に取付けられるものである。収納バッグ１３の内部に収納するものは、精密機器２７以外の副教材を入れることもできる。
この収納バッグ１３は、図３、図４に示す如く、上方に開口部２０が設けられた袋状のバッグ本体１４と、開口部２０の全体を覆う蓋部１７を有している。
【００１９】
そして、そのバッグ本体１４は、表面地１５と背面地１６とマチ地（一対の側面部、底面部を有する）１８の縁を縫着して袋状に形成されている。精密機器２７を収納バッグ１３に収納する設計とするときは、これらの地１５、１６、１８は、袋の内面に衝撃吸収性を持たせることが好ましい。
開口部２０には、開口部の長手方向に取付けたスライドファスナー等の開閉手段で開閉可能に形成されている。収納バッグ１３の横幅は、ランドセル１の副収納部４に収まる幅に形成してある。
【００２０】
図３（Ｃ）に示す如く、この収納バッグ１３の背面地１６の上方には手提部２５及び蓋部１７の一端が縫着されている。表面地１５の上方には、一対の雄係止部２３が離間して配置されて、表面地側係止部２６が形成されている。雄係止部２３を一対用いる場合は、雄係止部２３の離間距離はランドセル本体側係止部１１の離間距離と同一とする。
また、蓋部１７の他端には、ランドセル本体側係止部１１及び収納バッグ１３の表面地側係止部２６と係合する収納バッグ側係止部１９が形成されている。
収納バッグ１３とランドセル本体２とを分離したとき、背面地１６の上方に手提部２５を設けることにより、単独で収納バッグ１３の持ち運びができる。
なお、表面地１５の任意個所に所有者の名前を記名する手段を取付けることにより、収納バッグ１３の紛失を防止することができる。
【００２１】
次に、ランドセル本体２と収納バッグ１３との係合構造について、説明する。
図２に示す如く、ランドセル１の副収納部４の内側に、開口部２０を上に向けて収納バッグ１３を収納する。そして、この例では、収納バッグ１３の蓋部１７が開口２０を覆うと共に副収納部４の第２前面部９を跨いだ状態で、収納バッグ側係止部１９に取付けた一対の雌係止部２２がランドセル本体側係止部１１の一対の雄係止部２３に係脱自在に係合されている。この時、収納バッグ１３の表面地１５の外面は、副収納部４の第２前面部９の内面に接している。このように係合すると、開口部２０のスライドファスナーを閉じていない場合でも、収納バッグ１３の中身の飛散を防止することができる。
ただし、収納バッグ１３の背面地１６の外面を、副収納部４の第２前面部９の内面に接して収納し、収納バッグ１３の蓋部１７が開口部２０を覆わない状態でも、収納バッグ側係止部１９を蓋部１７を閉じたときの露出する部分に取り付けることで、ランドセル本体側係止部１１に係合することはできる。
【００２２】
次に、収納バッグ１３は単独で使用することができる。その使用手順の一例を示す。
まず、図４（Ａ）に示す如く、収納バッグ１３の収納バッグ側係止部１９がかばん本体側係止部１１から係合を解除された状態にし、開口部２０に設けたスライドファスナーを開放し、タブレット端末等の精密機器２７を収納バッグ内に収納する。
次に、図４（Ｂ）に示す如く、スライドファスナーを閉じて、蓋部１７が開口部２０を覆うように蓋部１７を矢印方向に折り曲げ、収納バッグ側係止部１９の雌係止部２２と表面地側係止部２６の雄係止部２３を係合する。
そして、図４（Ｃ）に示す如く、収納バッグ１３の単独での使用が可能になる。
【００２３】
ランドセル本体側係止部１１及び表面地側係止部２６は、実施例のように、スナップ釦式のものが好ましいが、面ファスナー等の代用できるものであってもよい。また、それらの係止部１１、２６は離間して一対設けることが望ましいが、１つであってもよい。その形成する数や形成する箇所に応じて、蓋部１７に設ける収納バッグ側係止部１９の形成数や形成箇所を設定する。
また、ランドセル本体側係止部１１及び表面地側係止部２６の雄係止部２３を雌係止部２２とし、収納バッグ側係止部１９の雌係止部２２を雄係止部２３とすることもできる。
【符号の説明】
【００２４】
１  ランドセル（かばん）
２  ランドセル本体（かばん本体）
３  主収納部
４  副収納部
５  背当て部
６  大マチ部
７  第１前面部
８  小マチ部
９  第２前面部
１０  ポケット部
１１  ランドセル本体側係止部（かばん本体側係止部）
１２  かぶせ蓋
【００２５】
１３  収納バッグ
１４  バッグ本体
１５  表面地
１６  背面地
１７  蓋部
１８  マチ地
１９  収納バッグ側係止部
２０  開口部
２２  雌係止部
２３  雄係止部
２５  手提部
２６  表面地側係止部
２７  精密機器
【図１】
0003226227.tif 000003
【図２】
0003226227.tif 000004
【図３】
0003226227.tif 000005
【図４】
0003226227.tif 000006